(57)【要約】本出願は、カメラ（２）及び画像同時取り込み用の少なくとも１つのマイク（３）、及びスピーカー（４）を備えることを特徴とする音声／動画データの有線または無線送信機能を有する携帯柄通信装置を目的とする。上記構成要素（２、３、４）は、外部装置と接続するため、直接、あるいは第１通信インタフェース（６）を介して接続され、キャッシュメモリ及びマイクロプロセッサを搭載する中央部（５）に接続されている。さらに、中央部は、通信ネットワークを介して、データを送受信するための第２通信インタフェース（７）に接続されている。上記全ての部品は、電源（８）により電力を供給される。本願は、デバイス（１）及びデバイス（１）の利用、同様に方法を使用することにより行われるデータ送信方法に関する。【選択図】図４
2013539626.tif 000002
【特許請求の範囲】
【請求項１】
本発明に係る音声／動画データの無線または有線送信機能を有するポータブル動画通信デバイスであって、
カメラ（２）と、動画同時取り込み用の少なくとも１つのマイク（３）と、スピーカー（４）とを備え、
前記構成要素（２、３、４）は、外部装置と直接の、あるいは第１通信インタフェース（６）を介した接続を確立するために、キャッシュメモリ及びマイクロプロセッサを搭載する中央部（５）と接続され、
さらに、中央部は、通信ネットワークを介してデータを送受信するために、第２通信インタフェース（７）に接続されていることを特徴とするポータブル動画通信デバイス。
【請求項２】
中央部（５）が、特にフラッシュメモリまたはメモリカードインタフェース（１０）といった固定記憶部（９）に接続されていることを特徴とする請求項１に記載のポータブル動画通信デバイス。
【請求項３】
頭、耳に載置するためのハンドル（１１）、腕または衣類の一部への取り付けを可能にする固定部、あるいはヘッドギアを備えることを特徴とする請求項１または２に記載のポータブル動画通信デバイス。
【請求項４】
前記第２インタフェース（７）が、無線電話網及び／またはＷＬＡＮ及び／または他の無線ネットワークを介したデータ送信を提供することを特徴とする請求項１〜３のいずれか１項に記載のポータブル動画通信デバイス。
【請求項５】
前記第１通信インタフェースが、Ｂｌｕｅｔｏｏｔｈ（登録商標）モジュール、ｗｉｆｉ部、ＵＳＢ、ｍｉｎｉＵＳＢ、マイクロＵＳＢ、または特にミニジャックなどの補助コネクタといった構成要素のうち少なくとも１つを含むことを特徴とする請求項１〜４のいずれか１項に記載のポータブル動画通信デバイス。
【請求項６】
前記第２通信インタフェースが、手動データ入力デバイス（１２）との有線または無線接続を有することを特徴とする請求項１〜５のいずれか１項に記載のポータブル動画通信デバイス。
【請求項７】
前記カメラ装置が、高解像度カメラ、ステレオカメラまたは高解像度ステレオカメラであることを特徴とする請求項１〜６のいずれか１項に記載のポータブル動画通信デバイス。
【請求項８】
前記カメラが、水平及び／または垂直及び／または他の方向に動くことを可能にするため、調節可能な頭部（１３）に載置可能であることを特徴とする請求項１〜７のいずれか１項に記載のポータブル動画通信デバイス。
【請求項９】
前記カメラ（２）及び／または前記マイク（３）及び／または前記スピーカー（４）及び／または前記ハンドセットが、前記第１通信インタフェースを介して通信デバイス（１）に接続されている別個の装置であることを特徴とする請求項１〜８のいずれか１項に記載のポータブル動画通信デバイス。
【請求項１０】
直接、あるいは前記第１通信インタフェース（６）を介して接続され、中央部（５）に接続されている全地球測位ユニットモジュール（１４）を含むことを特徴とする請求項１〜９のいずれか１項に記載のポータブル動画通信デバイス。
【請求項１１】
直接、あるいは前記第１通信インタフェース（６）を介して接続され、中央部（５）に接続されているデジタル及び／またはアナログ動画送信器（１５）を含むことを特徴とする請求項１〜１０のいずれか１項に記載のポータブル動画通信デバイス。
【請求項１２】
記録中のカメラ（２）の視聴を可能にするため、中央部（５）に直接接続されている、または前記第１通信インタフェース（６）を介して接続されている、動画モニター（１６）を含むことを特徴とする請求項１〜１１のいずれか１項に記載のポータブル動画通信デバイス。
【請求項１３】
とりわけ音声／動画の有線または無線データ送信機能を有し、通信ネットワーク（Ｎ）を介し、少なくとも１つの中央装置（１０１）に接続されている請求項１〜１２のいずれか１項に記載のポータブル通信デバイスを備える、特に音声／動画のデータ送信方法であって、
前記中央部は、少なくとも１つのデータストリーム受信器及び／またはテレビ信号（１０４、１０４’）に接続されている少なくとも１つの端末及び／または少なくとも１つのデータフロー送受信器及び／またはテレビ信号（１０３、１０３’）送受信器に接続され、
１）中央装置（１０１）を介し、データは、前記ポータブル動画通信デバイス（１）と少なくとも１つの端末（１０２、１０２’）またはデータストリーム及び／またはテレビ信号（１０３、１０３’）を送受信する少なくとも１つの装置間で送信され、
２）前記装置によって送信されるデータは、特にユーザー名、パスワード、携帯電話識別番号（ＭＩＮ）、国際移動体加入者識別番号（ＩＭＳＩ）、国際移動体装置識別番号（ＩＭＥＩ）、シークレットシリアル番号（ＳＳＮ）、電話番号、媒体アクセス制御（ＭＡＣ）、または、グローバル一意識別子（ＧＵＩＤ）または他の識別子などの装置識別データ、ユーザー識別データ及びアクセスデータに加え、装置及び／またはユーザー識別データ音声／動画データを含有し、
３）前記動画通信デバイス（１）からデータを受信した後、前記データは、含有する識別データに基づき、前記中央部（１０１）にある所定の基準によって処理、分類、及び共有され、
データは、特定の動画通信デバイス（１）及び／または特定のユーザー由来の前記音声／動画データとして、音声／動画の形態で、端末ユーザー（１０２、１０２’）またはデータストリーム送受信器ユーザー及び／またはテレビ信号送受信器ユーザーに付与され、
４）端末ユーザー（１０２、１０２’）は、特定のポータブル動画通信デバイス（１）及び／またはそのユーザーを選択し、その後、端末（１０２、１０２’）を使用して、直接、あるいは中央装置（１０１）を介して接続され、選択したポータブル動画通信デバイス（１）との接続を開始し、
５）データストリーム送受信器及び／またはテレビ信号送受信器（１０３）は、受信したデータを少なくとも１つのデータストリームチャンネル及び／またはテレビ信号に割り当て、その後、例えばテレビ信号といったデータストリームを、少なくとも１つのデータストリーム受信器及び／またはテレビ信号受信器（１０４）に送信し、ユーザーが前記データストリーム及び／またはＴＶチャンネルを選択することを可能にする、
データ送信方法。
【請求項１４】
前記データは、前記全地球測位ユニット（１４）から得た前記ポータブル動画通信デバイスまたはユーザーの地理的位置を識別するデータも含有することを特徴とする請求項１３に記載のデータ送信方法。
【請求項１５】
前記動画電気付受信デバイス（１）の中央部（５）が、前記第２通信インタフェースからの継続的な送信を付与されることを特徴とし、
前記データは、接続の種類及び質に関する情報を含有し、
前記音声／動画及び識別データは、前記データの総サイズをネットワーク接続（Ｎ）の種類及び質に適合させるため、主要部内で実行中に圧縮されることを特徴とする請求項１３または１４に記載のデータ送信方法。
【請求項１６】
少なくとも１つの動画通信デバイス（１）によって供給される前記音声／動画データは、中央部（１０１）データ記録媒体（１０５）に保存され、その後、前記端末ユーザー（１０２、１０２’）及び／またはデータストリーム送受信器及び／またはＴＶ（１０３、１０３’）ユーザーが利用可能となることを特徴とする請求項１３〜１５のいずれか１項に記載のデータ送信方法。
【請求項１７】
データが、受信され、識別データを使用して編集され、その後、地理的位置、コンテンツ、ユーザーグループまたはオンラインコミュニティーなどの基準に応じて前記データを分類することを特徴とする請求項１３〜１６のいずれか１項に記載のデータ送信方法。
【請求項１８】
前記データは、ウェブサーバーまたは端末（１０２、１０２’）で起動中のプログラムクライアントを介して少なくとも１つの端末（１０２、１０２’）ユーザーに提供されることを特徴とする請求項１３〜１７のいずれか１項に記載のデータ送信方法。
【請求項１９】
前記動画通信デバイス（１）における中央部（５）、または中央装置（１０１）において、音声／動画データは、あらかじめ設定されたアルゴリズムを使用して実行中に除去または編集され、データ中のグラフィックマーカーまたは構成要素を削除し、その後、ある２Ｄまたは３Ｄ対象において、他の図を特定の場所に配置することを特徴とする請求項１３〜１８のいずれか１項に記載のデータ送信方法。
【請求項２０】
１）データストリーム受信器のユーザー及び／またはＴＶ信号（１０４、１０４’）のユーザーが特に、リアリティ番組、タレント番組、ゲーム番組に関する複数のカメラからの視点を自主的に選択できる、複数のカメラを使用するＴＶ制作、
２）スポーツイベント、ルポルタージュ及び報道、生中継演奏を含むテレビ放送の作品
３）フィールドでのゲームを含むネットワークコンピュータゲーム
４）オンラインチャット
５）財産と人口の保護
６）広告
のための請求項１〜１２のいずれか１項に記載の装置の利用。
【請求項２１】
１）データストリーム受信器のユーザー及び／またはＴＶ信号（１０４、１０４’）のユーザーが特に、リアリティ番組、タレント番組、ゲーム番組に関する複数のカメラからの視点を自主的に選択できる、複数のカメラを使用するＴＶ制作、
２）スポーツイベント、ルポルタージュ及び報道、生中継演奏を含むテレビ放送の作品
３）フィールドでのゲームを含むネットワークコンピュータゲーム
４）オンラインチャット
５）財産と人口の保護
６）広告
のための請求項１３〜１９のいずれか１項に記載のデータ送信方法の利用。
【発明の詳細な説明】
【技術分野】
【０００１】
本発明は、特に音声／動画データにおけるポータブル動画通信デバイス及びデータ送信方法、ならびにその用途に関する。
【背景技術】
【０００２】
【発明の概要】
【課題を解決するための手段】
【０００３】
本発明に係る、音声／動画データの有線または無線転送性能を有するポータブル動画通信デバイスは、動画の同時取り込みを行うカメラ、少なくとも１つのマイク、及びスピーカーを備えることを特徴とする。上記構成要素は、外部装置との接続を確立するために、直接、あるいは第１通信インタフェースを介して接続されているキャッシュメモリ及びマイクロプロセッサを搭載する中央部に接続されている。さらに、ＣＰＵは、通信ネットワークを介してデータを送受信するために、第２通信インタフェースと接続され、それにより、電源は、全ての構成要素に供給される。
【０００４】
中央部は、特にフラッシュタイプメモリ、及び／またはメモリカードインタフェースなどの固定記憶部に連結される。
【０００５】
本デバイスは、頭、耳に載置するためのハンドル、腕または衣類の一部への取り付けを可能にする固定部、あるいはヘッドギアを含む。
【０００６】
第２インタフェースは、無線電話網、ＷＬＡＮ、または他の無線ネットワークを介してデータを送信することを可能にする。
【０００７】
第１インタフェースは、以下の構成要素、Ｂｌｕｅｔｏｏｔｈ（登録商標）モジュール、Ｗｉｆｉ接続モジュール、ＵＳＢ、ｍｉｎｉＵＳＢ、またはｍｉｃｒｏＵＳＢ、または特にミニジャック（ｍｉｎｉｊａｃｋ）などの補助コネクタのうち少なくとも１つを含む。
【０００８】
第２通信インタフェースは、手動データ入力デバイスとの有線または無線接続を有する。
【０００９】
カメラ部は、高解像度カメラ、ステレオカメラ、または高解像度ステレオカメラである。
【００１０】
カメラは、水平、垂直及び横方向への動きを可能にして、頭部に設置される。
【００１１】
カメラ及び／またはマイク及び／またはスピーカーは、第１通信インタフェースを介してポータブル動画通信デバイスに接続されている別個のデバイスである。
【００１２】
ポータブル動画通信デバイスは、直接、あるいは第１通信インタフェースを使用して中央部に接続されている地理的位置ユニットモジュールを含む。
【００１３】
ポータブルデバイスは、直接、あるいは第１通信インタフェースを介して接続され、中央部に接続されているデジタル動画送信器を含む。
【００１４】
ポータブル動画通信デバイスは、直接、あるいは第１通信インタフェースを介して接続され、記録中のカメラの視聴を可能にする動画モニターを含む。
【００１５】
別の範囲において、本発明は、とりわけ音声／動画データの有線または無線データ送信機能を有し、少なくとも１つのポータブル動画通信デバイスを備え、少なくとも１つの中央装置に、通信ネットワークを介して接続されている電気通信システムを使用することを特徴とする、特に音声／動画データにおけるデータ送信方法である。
【００１６】
中央部は、少なくとも１つの端子、または少なくとも１つのデータフロー送受信器、またはテレビ信号送受信器送受信器と接続され、それは、少なくとも１つのデータストリーム受信器またはテレビ信号に接続され、
１）中央部を介して、ポータブル動画通信デバイスと、少なくとも１つの端子及び／または少なくとも１つの装置間でデータを送信し、データストリーム及び／またはテレビ信号を送受信することと、
２）音声／動画データとは別に、装置によって送信されるデータは、特に、ユーザー名、パスワード、携帯電話識別番号（ＭＩＮ）、国際移動体加入者識別番号（ＩＭＳＩ）、国際移動体装置識別番号（ＩＭＥＩ）、シークレットシリアル番号（ＳＳＮ）、電話番号、媒体アクセス制御（ＭＡＣ）、または、グローバル一意識別子（ＧＵＩＤ）または他の識別子などの、装置識別データ、ユーザー識別データ、及びアクセスデータを含むことと、
３）動画テレビ装置からデータを受信した後、上記データは、上記データに含まれる識別子に基づき、中央部にある任意の基準によって処理、分類、共有される。データは、端末ユーザー、またはデータストリーム送受信器のユーザー、及び／またはテレビ信号送受信器への音声／動画の形態で、特定の動画通信装置及び／または特定のユーザーに由来する音声／動画データとして提供されることと、
４）端末ユーザーは、特定のポータブル動画通信デバイス及び／またはそのユーザーを選択し、その後、直接、あるいは中央装置を介して接続され、選択されたポータブル動画通信デバイスとの接続を開始することと、
５）データストリーム送受信器及び／またはテレビ信号送受信器は、受信したデータを少なくとも１つのデータストリームチャンネルまたはテレビ信号に割り当て、その後、データストリームを送信、詳細には、テレビ信号を、そのユーザーがデータストリーム及び／またはＴＶチャンネルを選択することを可能にする、少なくとも１つのデータストリーム受信器及び／またはテレビ信号受信器に送信することと
を特徴とする。
【００１７】
好ましくは、データは、全地球測位ユニットから得た、ポータブル動画通信デバイスまたはそのユーザーの地理的位置を識別するデータも含む。
【００１８】
ポータブル動画通信デバイスの中央部は、第２通信インタフェースからの継続的な送信を付与される。データは、接続の種類及び質に関する情報を含む。音声／動画及び識別データは、総データサイズが、ネットワーク接続の種類及び質に適合するよう中央部内で実行中に圧縮される。
【００１９】
少なくとも１つのポータブル動画通信デバイスによって供給される音声／動画データは、中央部に保存され、その後、端末ユーザー及び／またはデータストリーム送受信器及び／またはＴＶユーザーに利用される。
【００２０】
データを受信し、識別データ毎に並べ、続いて、地理的位置、コンテンツ、ユーザーグループ、またはオンラインコミュニティーなどの基準に応じてデータを分類する。
【００２１】
データは、ウェブサーバーまたは端末にある実行中のクライアントプログラムを介して、少なくとも１つの端末ユーザーに提供される。
【００２２】
動画通信デバイスの中央部及び／または中央装置において、音声／動画データは、あらかじめ設定されたアルゴリズムを使用して実行中に除去または修正され、データ内の地理的マーカーまたは構成要素を検出し、その後、他の音声／動画データ、特に、特定の２Ｄまたは３Ｄ対象のデータを特定の場所に配置する。
【００２３】
本発明の別の態様は、以下の利用である。
１）ユーザーが自主的に複数のカメラからの視点を選択できる、特に、リアリティ番組、タレント番組、ゲーム番組などの複数のカメラを使用するＴＶ制作
２）スポーツイベント、ルポルタージュ及び報道、生中継演奏を含むテレビ放送の作品
３）フィールドでのゲームを含むネットワークコンピュータゲーム
４）オンラインチャット
５）財産と人口の保護
【００２４】
本発明の他の態様は、本発明に係るデータを放送する方法の利用、
１）ユーザーが自主的に複数のカメラからの視点を選択できる、特に、リアリティ番組、タレント番組、ゲーム番組などの複数のカメラを使用するＴＶ制作
２）スポーツイベント、ルポルタージュ及び報道、生中継演奏を含むテレビ放送の作品
３）フィールドでのゲームを含むネットワークコンピュータゲーム
４）オンラインチャット
５）財産と人口の保護
６）広告
に関する。
本発明を以下などの用途の例により説明する。
【図面の簡単な説明】
【００２５】
【図１】本発明の第１実施形態におけるポータブル動画通信デバイスの構造図を示す。
【図２】本発明の第２実施形態におけるポータブル動画通信デバイスの構造図を示す。
【図３】本発明の第３実施形態におけるポータブル動画通信デバイスの構造図を示す。
【図４】本発明に係る送信方法の実施形態の構造図を示す。
【図５】本発明の放送方法の構造図を示す。
【図６】本発明の受信工程の構造図を示す。
【発明を実施するための形態】
【００２６】
図１は、音声／動画の有線及び無線送信両方を処理し、カメラ（２）及び同時に動画の取り込みを行う少なくとも１つのマイク（３）、及びスピーカー（４）を備えるポータブル動画通信デバイスの一例を示す。カメラ装置（２）は、高解像度カメラ、ステレオカメラ、または高解像度ステレオカメラである。上記構成要素（２、３、４）は、キャッシュメモリ及びマイクロプロセッサを搭載する中央部（５）に直接接続されている。
【００２７】
本デバイス（１）は、外部装置と接続するため、第１通信インタフェース（６）も有する。
【００２８】
第１通信インタフェースは、Ｂｌｕｅｔｏｏｔｈ（登録商標）モジュール、ｗｉｆｉモジュール、ＵＳＢ接続端子、ｍｉｎｉＵＳＢ接続端子、マイクロＵＳＢ、または特にミニジャックなどの補助コネクタのうち少なくとも１つを有する。中央部は、ネットワークを介してデータを送受信するため、第２通信インタフェース（７）とも接続されている。第２通信インタフェース（７）は、無線電話網及び／またはＷＬＡＮネットワーク及び／または他の無線データネットワークと通信するために使用される。
【００２９】
上述のデバイス（１）の全ての構成要素（２〜７）は、取り換え可能なＡＡＡ電池または充電式電池などの電源（８）により電力を供給される。本発明の装置は、接続するまたは接続を解除するためのコントロールボタンを搭載し得る。
【００３０】
図２に示す本発明の実施形態は、ユーザーの耳に載置するためのハンドル（１１）を搭載するデバイス（１）を提供する。デバイス（１）は、ユーザーの腕または頭、衣類の一部に載置するための固定式または着脱式の固定機構（１）またはヘッドギアを備えてもよい。
【００３１】
図３は、マイク（３）が外部装置であり、第１通信インタフェース（６）を介して中央部（５）に接続されている本発明の別の実施形態を示す。
【００３２】
さらに、カメラ（２）は、カメラ（２）を水平及び／または垂直、及び／または他の方向に回転可能な調節可能なヘッド（１３）に載置可能である。中央処理装置（５）は、特にフラッシュメモリ及び／またはメモリカードインタフェースなどの固定記憶部（９）に接続されている。
【００３３】
加えて、第１通信インタフェース（６）は、手動でのデータ入力（１２）のために装置に有線または無線で接続されている。デバイス（１）は、直接、あるいは第１通信インタフェース（６）を介して、主制御部（５）に接続されている地理的測位モジュールを搭載する。装置は、直接、あるいは第１通信インタフェース（６）を介して、主制御部（５）に接続されているデジタルまたはアナログテレビ信号送信器（１５）を含む。デバイス（１）は、また、カメラ（２）により記録された画像を視聴することを可能にし、第１通信インタフェース（６）を介して、中央処理部（５）に接続されているモニター（１６）も含む。
【００３４】
さらに、例えば、ヘッドホンの形態のカメラ（２）、マイク（３）、スピーカー（４）などの構成要素は、第１通信インタフェース（６）を介し、デバイス（１）に有線または無線で接続されている別個の装置であり得る。上記装置は、ユーザーの腕または頭、衣類の一部に載置するための構成要素またはヘッドギアと同様に、固有の電源を有し得る。
【００３５】
図４は、本発明の実施形態において、特に音声／動画データなどのデータ送信方法の構造図を示す。
【００３６】
本方法において、とりわけ音声／動画データなどのデータの有線または無線送信が可能な電気通信システムは、インターネットなどのネットワーク（Ｎ）を介し、少なくとも１つの中央部（１０１）へと接続されている少なくとも１つのポータブル通信デバイス（１）を有する。中央部は、少なくとも１つの端末装置（１０２、１０２’）及び少なくとも１つのデータストリームまたはテレビ信号送受信装置（１０３、１０３’）に接続され、少なくとも１つのデータストリームまたはテレビ信号受信器（１０４、１０４’）に接続されている。この構造では、
１）中央部（１０１）を介し、データが、動画通信デバイス（１）と少なくとも１つの端末装置（１０２、１０２）、及び／または少なくとも１つのデータストリーム及び／またはテレビ信号送受信装置（１０３、１０３’）間で送信される。
２）動画通信デバイス（１）により送信されるデータは、（音声／動画データに加えて）、その装置またはそのユーザーと、特にユーザー名、パスワード、携帯電話識別番号（ＭＩＮ）、国際移動体加入者識別番号（ＩＭＳＩ）、国際移動体装置識別番号（ＩＭＥＩ）、シークレットシリアル番号（ＳＳＮ）、電話番号、媒体アクセス制御（ＭＡＣ）、または、グローバル一意識別子（ＧＵＩＤ）または他の識別子を通信することを可能にする装置及び／またはユーザー識別データを含む。
識別データは、また、動画通信デバイス（１）の地理的位置または地理的位置モジュール（１４）に由来するユーザー識別データも含有する。
３）動画通信デバイス（１）からデータを受信した後、上記は、中央部（１０１）にある所定の基準によって、上記が含有する識別データに基づき、処理、分類、及び共有される。データは、音声／動画の形態で、端末ユーザー（１０２、１０２’）またはデータストリーム送受信器ユーザー及び／またはテレビ信号送受信器（１０３、１０３’）へ、特定の動画通信デバイス（１）及び／またはその特定のユーザー由来の音声／動画データとして与えられる。
４）端末ユーザー（１０２、１０２’）は、特定の動画通信デバイス（１）及び／またはそのユーザーを選択し、その後、端末（１０２、１０２’）は、直接、あるいは中央装置（１０１）を介して接続され、選択された動画通信デバイス（１）に接続されている、または
５）データストリームまたはテレビ信号送受信装置（１０３）は、受信したデータを少なくとも１つの特定のチャンネルデータストリームまたはテレビし信号に割り当て、その後、データストリーム（例えば、ＴＶ信号）を受信器（１０４）（少なくとも１つの出力データストリーム、及び／またはテレビ信号受信器）へ送信する。
６）ポータブル動画通信デバイス（１）の中央部（５）は、第２通信インタフェース（７）からの継続的な送信を付与される。データは、接続の種類及び質に関する情報を含有する。音声／動画及び識別データは、主要部内で実行中に圧縮され、その結果、データの総サイズがネットワーク接続（Ｎ）の種類及び質に適合する。
７）少なくとも１つの動画通信デバイス（１）によって送信される音声／動画データは、中央装置（１０１）のデータ記録媒体（１０５）に記録され、その後、端末ユーザー（１０２、１０２’）及び／またはデータストリーム送受信器のユーザー及び／またはテレビユーザー（１０３、１０３’）が利用可能になる。
８）特定の識別データにおいて、少なくとも１つの動画通信装置によって送信されたデータの編成は、地理的位置、データの内容の分類、テーマ別グループ及び／またはコミュニティサイトのユーザーのメンバーなどの基準に応じて、データを分類することにより行われる。
９）データは、少なくとも１つの端末（１０２、１０２’）ユーザーに、ウェブサーバーまたは端末（１０２、１０２’）にインストールされるプログラムクライアントを介して提供される。
【００３７】
１）中央部及び／または中央装置において、音声／動画データは、あらかじめ設定されたアルゴリズムを使用して、実行中に除去及び／または編集され、データ内のグラフィックマーカーまたは構成要素を削除し、ある特定の２Ｄまたは３Ｄ対象物、特定の場所において、他の音声／動画データに置き換えられる。データの除去（及び／または編集）は、送信される音声／動画信号にある適切なマーカー及び特定のグラフィック要素（例えば、像、ロゴ、場所）を実行中に認識し、上記を別の画像に置き換えることができるアルゴリズムを使用する。
【００３８】
置き換える例示的なデータ
ａ）大抵、元の画像に存在しない３Ｄ要素を追加する課題を考慮して、グラフィックマーク用（例えば、そのフィールドでネットワークゲームの実施中、グランド上にマーカーを配置することは、プレイヤーまたは端末ユーザーが見ることのできる特定の３Ｄ要素に上記を割り当てる）（１０２）。
ｂ）特定のグラフィック要素は、別の画像に置き換えられることを必要とする。広告掲示板（大きな形式の広告）の内容を置き換えることは、良い例である。実際、粉末洗剤の広告などの場では、端末画面上に異なる内容が示され得る（例えば、視聴者がその構造に気付かないような方法で挿入される）。
【００３９】
データ送信方法と同様に、上述のデバイス（１）は、多くの利用を有する。
例えば、
１）ユーザーが自主的に複数のカメラからの視点を選択できる、特に、リアリティ番組、タレント番組、ゲーム番組などの複数のカメラを使用するＴＶ制作、
２）スポーツイベント、ルポルタージュ及び報道、生中継演奏を含むテレビ放送の作品
３）フィールドでのゲームを含むネットワークコンピュータゲーム
４）オンラインチャット
５）財産と人口の保護
６）広告
【００４０】
本発明を使用する、あるデータ送信方法と同様に、ポータブル動画通信装置は、
２）ＴＶ及びインターネットの両方で、一日２４時間の音声／動画送信
３）仮想ポイント及び統計の代わりに、プレイヤーは、実際の情報を受信し、選択した目的の真実の実現のためにゲームを楽しむであろう。
４）プレイヤー／視聴者がリアリティ番組の参加者を制御する、リアリティ番組、実際の路上でのゲーム及び仮想ネットワークゲームの組み合わせは、シナリオに影響を与え、参加することもある。
５）テレビ、インターネット及びＧＳＭ（登録商標）の３つの技術の利点の組み合わせ
６）実際、それは、プレイヤー／視聴者に、別の人の目を通して見て、同時にその行動に影響を与える機会を与え、ソーシャルネットワークサイトを介して提供するソーシャルネットワークの単なるゲームである
７）プレイヤー／視聴者は、自主的にＴＶライブ（ＣＡＭ、ＳＥＬＥＣＴ）を行う可能性を有する
といった多くの可能性を提供する。
【図１】
2013539626.tif 000003
【図２】
2013539626.tif 000004
【図３】
2013539626.tif 000005
【図４】
2013539626.tif 000006
【図５】
2013539626.tif 000007
【図６】
2013539626.tif 000008
【国際調査報告】
2013539626.tif 000009
2013539626.tif 000010
2013539626.tif 000011